(57)【要約】【課題】ロータリ機枠内面の泥土付着防止、土砂石衝突音低減等をより確実にする。【解決手段】ギヤケース１１から左右側方にサポートアーム１２を突出し、この左右サポートアーム１２の外端に伝動ケース１３とサイドフレーム１４とを取り付けてロータリ機枠１０を構成し、前記伝動ケース１３とサイドフレーム１４の下部間に爪軸３を配置して耕耘部２０を形成し、伝動ケース１３とサイドフレーム１４との間に耕耘部２０の上方を覆う主カバー２２と、耕耘部２０を後方を覆う後部カバー２４とを設け、伝動ケース１３及びサイドフレーム１４の後部側に耕耘部２０の側方を覆う側部カバー２３を設け、伝動ケース１３及び／又はサイドフレーム１４の耕耘部２０側の面に耕耘部２０の側方を覆う非金属製の内面カバー２６を設ける。【選択図】      図１
2005006602.tif 000002
【特許請求の範囲】
【請求項１】
ロータリ機枠（１０）に、耕耘部（２０）の外周側とロータリ機枠（１０）の後方で耕耘部（２０）の左右側方を覆うカバー装置（２１）を設けており、このカバー装置（２１）は耕耘部（２０）の側方を覆うべくロータリ機枠（１０）の耕耘部（２０）に面する内面に設けられている非金属製の内面カバー（２６）を有していることを特徴とするロータリ耕耘機のカバー装置。
【請求項２】
ギヤケース（１１）から左右側方にサポートアーム（１２）を突出し、この左右サポートアーム（１２）の外端に伝動ケース（１３）とサイドフレーム（１４）とを取り付けてロータリ機枠（１０）を構成し、前記伝動ケース（１３）とサイドフレーム（１４）の下部間に爪軸（３）を配置して耕耘部（２０）を形成し、伝動ケース（１３）とサイドフレーム（１４）との間に耕耘部（２０）の上方を覆う主カバー（２２）と、耕耘部（２０）を後方を覆う後部カバー（２４）とを設け、伝動ケース（１３）及びサイドフレーム（１４）の後部側に耕耘部（２０）の側方を覆う側部カバー（２３）を設け、伝動ケース（１３）及び／又はサイドフレーム（１４）の耕耘部（２０）側の面に耕耘部（２０）の側方を覆う非金属製の内面カバー（２６）を設けていることを特徴とするロータリ耕耘機のカバー装置。
【請求項３】
前記内面カバー（２６）は耕耘部（２０）側の面（２６Ａ）を略平坦に形成し、反対面（２６Ｂ）をそれと対向する伝動ケース（１３）又はサイドフレーム（１４）の耕耘部（２０）側の面に密着すべくその面の凹凸に嵌合可能な凹凸面に形成していることを特徴とするロータリ耕耘機のカバー装置。
【請求項４】
前記内面カバー（２６）をプラスチック又はゴムで形成していることを特徴とする請求項１〜３のいずれかに記載のロータリ耕耘機のカバー装置。
【請求項５】
前記カバー装置（２１）は、耕耘部（２０）の外周を覆う面に弾性カバー（３０）を設けていることを特徴とする請求項１〜４のいずれかに記載のロータリ耕耘機のカバー装置。
【発明の詳細な説明】
【０００１】
【発明の属する技術分野】
本発明は、ロータリ耕耘機のカバー装置に関する。
【０００２】
【従来の技術】
この種の従来技術においては、ギヤケースから左右側方にサポートアームを突出し、この左右サポートアームの外端に伝動ケースとサイドフレームとを取り付けてロータリ機枠を構成し、前記伝動ケースとサイドフレームの下部間に爪軸を配置して耕耘部を形成し、伝動ケースとサイドフレームとの間に耕耘部の上方を覆う主カバーと、耕耘部の後方を覆う後部カバーとを設け、伝動ケース及びサイドフレームの後部側に耕耘部の側方を覆う側部カバーを設け、前記主カバーと後部カバーの耕耘部の面に弾性カバーを設けている。
（例えば、特許文献１参照。）。
【０００３】
【特許文献１】
特許公報第２５３５４２３号
【０００４】
【発明が解決しようとする課題】
前記従来技術のロータリ耕耘機のカバー装置は、主カバー及び後部カバーの内面にゴム製の弾性カバーを設けて、泥土の付着を防止し、石の衝突音を低減できるようにしており、それなりの効果を発揮しているが、伝動ケース、サイドフレーム等のロータリ機枠に付着する泥土の剥離、石の衝突等を防止できなく、ロータリ耕耘機全体として、泥土付着防止、土砂石衝突音低減等をより確実にするには至っていない。
【０００５】
前記伝動ケース、サイドフレーム等のロータリ機枠の耕耘部に面する内面は、耕耘部側の面に板材の張り合わせ部、ボルト頭等によって凹凸が多く形成され、泥土が付着し易くなっている。
本発明は、このような従来技術の問題点を解決できるようにしたロータリ耕耘機のカバー装置を提供することを目的とする。
本発明は、伝動ケース、サイドフレーム等のロータリ機枠の耕耘部に面する内面に内面カバーを設けることにより、泥土付着防止、土砂石衝突音低減等をより確実にできるようにしたロータリ耕耘機のカバー装置を提供することを目的とする。
【０００６】
【課題を解決するための手段】
本発明における課題解決のための具体的手段は、次の通りである。
第１に、ロータリ機枠１０に、耕耘部２０の外周側とロータリ機枠１０の後方で耕耘部２０の左右側方を覆うカバー装置２１を設けており、このカバー装置２１は耕耘部２０の側方を覆うべくロータリ機枠１０の耕耘部２０に面する内面に設けられている非金属製の内面カバー２６を有していることである。
これによって、耕耘部２０の側方のロータリ機枠１０の内面における、泥土付着防止、土砂石衝突音低減等を確実にできる。
【０００７】
第２に、ギヤケース１１から左右側方にサポートアーム１２を突出し、この左右サポートアーム１２の外端に伝動ケース１３とサイドフレーム１４とを取り付けてロータリ機枠１０を構成し、前記伝動ケース１３とサイドフレーム１４の下部間に爪軸３を配置して耕耘部２０を形成し、伝動ケース１３とサイドフレーム１４との間に耕耘部２０の上方を覆う主カバー２２と、耕耘部２０を後方を覆う後部カバー２４とを設け、伝動ケース１３及びサイドフレーム１４の後部側に耕耘部２０の側方を覆う側部カバー２３を設け、伝動ケース１３及び／又はサイドフレーム１４の耕耘部２０側の面に耕耘部２０の側方を覆う非金属製の内面カバー２６を設けていることである。
【０００８】
これによって、伝動ケース１３及び／又はサイドフレーム１４の耕耘部２０側の面における、泥土付着防止、土砂石衝突音低減等を確実にできる。
第３に、前記内面カバー２６は耕耘部２０側の面２６Ａを略平坦に形成し、反対面２６Ｂをそれと対向する伝動ケース１３又はサイドフレーム１４の耕耘部２０側の面に密着すべくその面の凹凸に嵌合可能な凹凸面に形成していることである。
これによって、内面カバー２６に泥土、砂石等が衝突したときに、内面カバー２６が伝動ケース１３又はサイドフレーム１４と衝突することがなく、摩擦抵抗が低下して泥土付着が防止でき、衝突音がないと共に内面カバー２６の耐久性を高くすることができる。
【０００９】
第４に、前記内面カバー２６をプラスチック又はゴムで形成していることである。
これによって、泥土付着防止、土砂石衝突音低減等をより確実にでき、高い金属音が解消される。
第５に、前記カバー装置２１は、耕耘部２０の外周を覆う面に弾性カバー３０を設けていることである。
これによって、ロータリ耕耘機全体として、泥土付着防止、土砂石衝突音低減等をより確実にできる。
【００１０】
【発明の実施の形態】
以下、本発明の実施の形態を図面に基づいて説明する。
図１、２において、１はサイドドライブ式のロータリ耕耘機で、ギヤケース１１から左右側方にサポートアーム１２を突出し、この左右サポートアーム１２の外端に伝動ケース１３とサイドフレーム１４とを取り付けてロータリ機枠１０を構成し、前記伝動ケース１３とサイドフレーム１４の下部に軸受部１７を介して回転軸を設け、両回転軸間に爪軸３を連結している。
【００１１】
動力は、トラクタのＰＴＯ軸からギヤケース１１の入力軸１８に伝達され、ギヤケース１１内のギヤ及び左サポートアーム１２内の伝動軸を介して伝動ケース１３内のチェーン伝動手段に伝達され、伝動ケース１３側の回転軸を介して爪軸３を駆動する。伝動ケース１３側の回転軸が駆動爪軸となり、サイドフレーム１４側の回転軸が遊転軸となっている。
円筒管で形成された前記爪軸３には、軸方向及び周方向に間隔をおいて多数の爪ブラケット１６が設けられている。この爪ブラケット１６は大きいコ字形部材に小さいコ字形部材を嵌合した形状である。
【００１２】
爪軸３の左右両端には、軸方向位置が略同一で周方向に離れた位置に２つの爪ブラケット１６が設けられており、一方の爪ブラケット１６には他と同様ななた爪２Ａが装着されているのに対し、他方の爪ブラケット１６には耕耘幅を可及的に広くすべく、爪軸３の軸外方向に突出した部分を有する形状の特殊爪２Ｂが装着されている。
各耕耘爪２はその基部を爪ブラケット１６の凹部１６Ａに挿入し、それらにボルト２７を挿通し、ナットを螺合して締結している。前記耕耘爪２の回転領域が耕耘部２０となっている。
【００１３】
前記伝動ケース１３とサイドフレーム１４の内側には耕耘部２０を覆うカバー装置２１が設けられている。このカバー装置２１は、耕耘部２０の上方を覆う主カバー２２の後部には耕耘部２０を後方から覆う後部カバー２４が上下揺動自在に枢支され、後部カバー２４の左右側方には、伝動ケース１３及びサイドフレーム１４の後部に側部カバー２３を固着し、前記主カバー２２及び後部カバー２４の耕耘部２０外周を覆う面に弾性カバー３０を張設している。
前記伝動ケース１３及びサイドフレーム１４の耕耘部２０側の面（ロータリ機枠１０の内面）には、耕耘部２０の側方を覆う非金属製の内面カバー２６が設けられている。この内面カバー２６は薄板形状であり、ガラス繊維強化プラスチック等のプラスチックが好ましいが、ゴムで形成してもよい。
【００１４】
伝動ケース１３側を示す図３において（内面カバー２６Ｌを外している。）、伝動ケース１３の耕耘部２０側の面には主カバー２２の側壁２２ａが当接され、それを取付けているボルト頭２２ｂが露出し、軸受部１７の近傍から側部カバー２３の取付け部２３ａが後方へ突出し、また前記軸受部１７から径外方向に突起１７ａが突出している。
伝動ケース１３用の内面カバー２６Ｌは、図２、４〜７に示すように、耕耘部２０側の内面２６Ａが略平坦に形成されており、その反対面である伝動ケース１３側の外面２６Ｂには、全厚部２６ａから一段下がった薄板部２６ｂ、全厚部２６ａの前後端部の凹部２６ｃ、２６ｄ、前記薄板部２６ｂの前後部に位置する孔２６ｅ、底縁に位置する凹部２６ｆ等が形成されており、凹凸面となっている。
【００１５】
前記内面カバー２６Ｌは、外面２６Ｂをそれと対向する伝動ケース１３の耕耘部２０側の面に対面させると、全厚部２６ａは伝動ケース１３に、薄板部２６ｂは主カバー２２の側壁２２ａに、前後端部の凹部２６ｃ、２６ｄは側部カバー２３の取付け部２３ａに、前後部に位置する孔２６ｅはボルト頭２２ｂに、底縁の凹部２６ｆは突起１７ａにそれぞれ略適合嵌合し、内面カバー２６Ｌの外面２６Ｂは伝動ケース１３等の耕耘部２０側の面に密着することになる。
内面カバー２６Ｌは留め具挿入孔２６ｇが複数形成されており、ボルト等の留め具２８を介して側壁２２ａ、取付け部２３ａ等に取付けられる。前記留め具２８は頭が丸薄頭部になっていて、内面２６Ａから大きく突出することがなく、内面２６Ａと際だった段差をつくることがないように配慮されている。
【００１６】
前記内面カバー２６Ｌは伝動ケース１３の耕耘部２０側の凹凸面に適合嵌合して密着するため、土砂石が当たっても略全面を伝動ケース１３側でバックアップすることができ、衝突音が出なく、耐久性を高くでき、内面２６Ａが平坦であることにより、摩擦抵抗が低下して泥の付着量が軽減され、付着土の落としやすさも向上する。
サイドフレーム１４側を示す図８において（内面カバー２６Ｒを外している。）、サイドフレーム１４の耕耘部２０側の面には補強用のリブ１４ａが一体成形され、かつ主カバー２２の側壁２２ａが当接され、それを取付けているボルト頭２２ｂが露出し、軸受部１７の近傍を穿孔して側部カバー２３の取付け部２３ａとしており、また前記軸受部１７から径外方向に突起１７ａが突出している。前記リブ１４ａはサイドフレーム１４を形成する板材を屈曲して形成したものであり、外側方へ突出していて、耕耘部２０側には溝となっている。
【００１７】
サイドフレーム１４用の内面カバー２６Ｒは、図９〜１２に示すように内面カバー２６Ｌと略同様な形状であり、耕耘部２０側の内面２６Ａが略平坦に形成されており、その反対面であるサイドフレーム１４側の外面２６Ｂには、全厚部２６ａから一段下がった薄板部２６ｂ、前記薄板部２６ｂの前後部に位置する孔２６ｅ、底縁に位置する凹部２６ｆ等が形成されており凹凸面となっている。全厚部２６ａの前後端部には、前記凹部２６ｃ、２６ｄに相当するものはない。
前記内面カバー２６Ｒは、外面２６Ｂをそれと対向するサイドフレーム１４の耕耘部２０側の面に対面させると、全厚部２６ａはサイドフレーム１４に、薄板部２６ｂは主カバー２２の側壁２２ａに、前後部に位置する孔２６ｅはボルト頭２２ｂに、底縁の凹部２６ｆは突起１７ａにそれぞれ略適合嵌合し、内面カバー２６Ｒの外面２６Ｂはサイドフレーム１４等の耕耘部２０側の面に密着することになる。
【００１８】
内面カバー２６Ｒにも留め具挿入孔２６ｇが複数形成されており、ボルト等の留め具２８を介して側壁２２ａ、サイドフレーム１４等に取付けられる。前記留め具２８は頭が丸薄頭部になっていて、内面２６Ａから大きく突出することがなく、内面２６Ａと際だった段差をつくることがないように配慮されている。
前記内面カバー２６Ｒはサイドフレーム１４の耕耘部２０側の凹凸面に適合嵌合して密着するため、内面カバー２６Ｌと同様の作用効果を奏功できる。
前記左右の側部カバー２３は金属板で形成してもよいが、ここでは内面カバー２６と同様なプラスチックで形成されており、留め具２８を介して左右の内面カバー２６と共締めすることもできる。
【００１９】
図１３、１４は、主カバー２２及び後部カバー２４の耕耘部２０側の面に張設した弾性カバー３０の取付け構造を示しており、主カバー２２及び後部カバー２４の耕耘部２０側の面には縦横に間隔をおいて多数のブラケット３３が固着されており、弾性カバー３０の外面には各ブラケット３３に対応して掛止突起３４が設けられている。
この掛止突起３４は、首部３４ａに円板状頭部３４ｂを一体成形したものであり、ブラケット３３に形成した溝３３ａに首部３４ａを挿入することにより、頭部３４ｂがブラケット３３に引っ掛かるようになっている。
【００２０】
前記ブラケット３３は主カバー２２及び後部カバー２４に溝３３ａが左右横向き又は前向きになるように配置されており、掛止突起３４を左右横又は前から掛合することにより、弾性カバー３０を主カバー２２及び後部カバー２４に掛合装着する。
前記弾性カバー３０の取付け構造では、弾性カバー３０の耕耘部２０側の面に取付けボルト、座金等による凹凸を作らないので、泥土の付着が少なく、耐久性も向上できる。なお、掛止突起３４は断面Ｔ字状に形成したり、頭部３４ｂを四角形に形成したりしてもよい。
【００２１】
図１５はフラップカバーの泥土堆積防止手段の第１例を示している。図２、７に示すように、後部カバー２４の下端には、耕耘跡を均平にするためにフラップカバー３６の前端が装着具３７を介して着脱自在に設けられており、このフラップカバー３６には両端に折り畳み自在な延長フラップカバー３９が設けられている。
前記フラップカバー３６は板金製で側面視前後方向の円弧状に形成されており、凹み形状となる上面３６ａに泥土が堆積し易くなっている。
【００２２】
泥土堆積防止手段３８は弾力性のある発泡体で、平坦上面、円弧下面の形状に形成されており、軽量でかつ変形容易なものである。
前記発泡体は中央発泡体３８Ａと左右発泡体３８Ｂの３部材に分割されており、中央発泡体３８Ａは左右に係合部３８ａを突出し、左右発泡体３８Ｂは係合部３８ａに係合可能な係合凹部３８ｂと突起３８ｃとを形成している。
前記泥土堆積防止手段３８は、中央発泡体３８Ａの左右に左右発泡体３８Ｂを係合した長さが、フラップカバー３６の全長又は延長フラップカバー３９を延長姿勢にしたときの全長に略相当し、突起３８ｃがフラップカバー３６に設けられた装着具３７用装着部３６ｂ内に入るものとなっている。
【００２３】
泥土堆積防止手段３８は、中央発泡体３８Ａをフラップカバー３６の上面３６ａに挿入配置し、同じく左右発泡体３８Ｂを上面３６ａに挿入しながら、突起３８ｃを装着部３６ｂ内に挿入すると共に係合凹部３８ｂを係合部３８ａに嵌合する。
この泥土堆積防止手段３８によって、フラップカバー３６の上面３６ａは充填されて凹みのない状態、即ち、フラップカバー３６の前後端の上縁と中央発泡体３８Ａ及び左右発泡体３８Ｂの上面とが略面一になり、泥土をかぶっても堆積を大幅に減少できる。
【００２４】
前記図１５に示した泥土堆積防止手段３８は３分割型式であるが、２分割又は４分割にしたり、１本ものにしたりしてもよい。
図１６はフラップカバーの泥土堆積防止手段の第２例を示しており、１または複数分割した発泡体３８Ａに同材料で係合凸部４０を設け、フラップカバー３６の前上部に係合凸部４０を下から挿入可能なボックス形状の嵌合体４１を設けている。この嵌合体４１には背面に内部の係合凸部４０を押し下げて離脱するための開口４１ａが形成されている。
【００２５】
この第２例の泥土堆積防止手段３８では、フラップカバー３６の上面３６ａに発泡体３８Ａを挿入しながら係合凸部４０を嵌合体４１内に挿入することにより、発泡体３８Ａをフラップカバー３６に装着し、第１例と同様に上面３６ａを塞いで泥土堆積の防止をする。前記嵌合体４１の開口４１ａから指を挿入して係合凸部４０を押し下げることにより、発泡体３８ａを変形させてフラップカバー３６から離脱できる。
なお、本発明は前記実施形態における各部材の形状及びそれぞれの前後・左右・上下の位置関係は、図１〜１２に示すように構成することが最良である。しかし、前記実施形態に限定されるものではなく、部材、構成を種々変形したり、組み合わせを変更したりすることもできる。
【００２６】
例えば、内面カバー２６は伝動ケース１３又はサイドフレーム１４のどちらか一方のみに装着したり、側部カバー２３を板金で形成して、その側部カバー２３の耕耘部２０側の面を左右内面カバー２６で覆うようにしたりしてもよい。
また、内面カバー２６に外方突出状のボルトを植設しておいて、そのボルトを伝動ケース１３及びサイドフレーム１４に設けたブラケットに貫通し、ロータリ耕耘機１の左右外面側からナットを螺合することにより、内面カバー２６を取付けるようにしたりしてもよい。
【００２７】
内面カバー２６をゴムで形成する場合は、伝動ケース１３及びサイドフレーム１４との間に間隙を設けてもよい。
【００２８】
【発明の効果】
以上詳述した本発明によれば、伝動ケース１３及び／又はサイドフレーム１４の耕耘部２０側の面における、泥土付着防止、土砂石衝突音低減等を確実にできる。
【図面の簡単な説明】
【図１】本発明の実施の形態を示す背面図である。
【図２】同側面図である。
【図３】内面カバーを装着する前の図１のＸ矢視図である。
【図４】図１のＸ矢視図である。
【図５】左内面カバーの外面図である。
【図６】左内面カバーの底面図である。
【図７】ロータリ耕耘機の左側斜視図である。
【図８】内面カバーを装着する前の図１のＹ矢視図である。
【図９】図１のＹ矢視図である。
【図１０】右内面カバーの外面図である。
【図１１】右内面カバーの底面図である。
【図１２】ロータリ耕耘機の右側斜視図である。
【図１３】弾性カバーの取付け構造を示す断面図である。
【図１４】弾性カバーの取付け構造を示す分解斜視図である。
【図１５】フラップカバーの泥土堆積防止手段の第１例を示す分解斜視図である。
【図１６】フラップカバーの泥土堆積防止手段の第２例を示す斜視図である。
【符号の説明】
１        ロータリ耕耘機
２        耕耘爪
３        爪軸
１０      ロータリ機枠
１１      ギヤケース
１２      サポートアーム
１３      伝動ケース
１４      サイドフレーム
２０      耕耘部
２１      カバー装置
２２      主カバー
２２ａ    側壁
２３      側部カバー
２４      後部カバー
２６      内面カバー
２６Ａ    内面
２６Ｂ    外面
２８      留め具
３０      弾性カバー
【図１】
2005006602.tif 000003
【図２】
2005006602.tif 000004
【図３】
2005006602.tif 000005
【図４】
2005006602.tif 000006
【図５】
2005006602.tif 000007
【図６】
2005006602.tif 000008
【図７】
2005006602.tif 000009
【図８】
2005006602.tif 000010
【図９】
2005006602.tif 000011
【図１０】
2005006602.tif 000012
【図１１】
2005006602.tif 000013
【図１２】
2005006602.tif 000014
【図１３】
2005006602.tif 000015
【図１４】
2005006602.tif 000016
【図１５】
2005006602.tif 000017
【図１６】
2005006602.tif 000018